(57)【要約】【課題】  自動二輪車の運転教習所など、転倒の頻度が高い場合であっても、自動二輪車の見栄えを良好に維持することが容易にできるようにし、かつ、この維持が安価にできるようにする。【解決手段】  自動二輪車１の車体２が、この車体２の前部の外殻を構成する樹脂製のフロントカウル１７を備える。フロントカウル１７の外側面の上、下部に取り付けられ、この外側面からそれぞれ外側方に突出する上、下部プロテクタ３３，３４を設ける。プロテクタ３３，３４をゴムパッド製とする。上、下部プロテクタ３３，３４よりも後方における車体２の部分から外側方に向かって突出し、その突出端部が車体２の部分の外側面よりも外側方に位置する他のプロテクタ３８，３９を設ける。縦方向における上部プロテクタ３３の上端から下部プロテクタ３４の下端にいたる範囲４１内に、他のプロテクタ３８，３９の少なくとも一部分を位置させる。【選択図】  図１
2006123844.tif 000002
【特許請求の範囲】
【請求項１】
車体が、この車体の前部の外殻を構成する樹脂製のフロントカウルを備えた自動二輪車において、
上記フロントカウルの外側面の上、下部に取り付けられ、この外側面からそれぞれ外側方に突出する上、下部プロテクタを備えたことを特徴とする自動二輪車における車体保護装置。
【請求項２】
上記プロテクタをゴムパッド製としたことを特徴とする請求項１に記載の自動二輪車における車体保護装置。
【請求項３】
上記上、下部プロテクタよりも後方における上記車体の部分から外側方に向かって突出し、その突出端部が上記車体の部分の外側面よりも外側方に位置する他のプロテクタを備え、縦方向における上記上部プロテクタの上端から下部プロテクタの下端にいたる範囲内に、上記他のプロテクタの少なくとも一部分を位置させたことを特徴とする請求項１に記載の自動二輪車における車体保護装置。
【請求項４】
上記車体が、この車体の後部の外側面を形成する樹脂製のサイドカバーを備えた自動二輪車において、
縦方向で、上記サイドカバーの少なくとも中途部を挟む車体の各部分にそれぞれ上記他のプロテクタを取り付けたことを特徴とする請求項３に記載の自動二輪車における車体保護装置。
【発明の詳細な説明】
【技術分野】
【０００１】
本発明は、フロントカウルの外側面に取り付けられて、転倒時に、上記フロントカウルの外側面が損傷することを防止するプロテクタを備えた自動二輪車における車体保護装置に関するものである。
【背景技術】
【０００２】
上記自動二輪車における車体保護装置には、従来、下記特許文献１に示されるものがある。この公報のものによれば、自動二輪車の車体は、車体フレームと、車体の前部の外殻を構成して上記車体フレームの前部を覆う樹脂製のフロントカウルと、上記車体フレームから外側方に向かって突出し、その突出端部が上記フロントカウルに形成された孔を貫通して、このフロントカウルの外側面よりも外側方に位置するプロテクタとを備えている。
【０００３】
上記プロテクタの突出端部は、このプロテクタの基部側とは別体に設けられて、上記孔の孔縁部に対し着脱自在に取り付けられている。この場合、上記プロテクタの突出端部は樹脂製とされ、外観上、このフロントカウルと一体感が生じることとされている。
【０００４】
ここで、上記自動二輪車が転倒したとする。この場合、上記プロテクタの突出端部が上記フロントカウルの外側面に先立って地面に衝突することとされている。これにより、自動二輪車の転倒時、上記フロントカウルの外側面が上記した地面に衝突して損傷するということが防止される。そして、上記衝突によりプロテクタの突出端部が損傷したときには、これは新しいものに交換することとされ、これにより、フロントカウルの見栄え、つまり、自動二輪車の見栄えが良好に維持されるようになっている。
【０００５】
【特許文献１】特公平７−２４７６号公報
【発明の開示】
【発明が解決しようとする課題】
【０００６】
ところで、上記のように従来の技術におけるプロテクタの突出端部は樹脂製とされており、このため、上記プロテクタの突出端部は、上記転倒による衝突で容易に損傷するおそれがある。そして、この突出端部が損傷したとすると、この突出端部は、外観上、フロントカウルと一体感が生じることとされているため、上記突出端部の損傷により、上記フロントカウルの全体的な見栄えが著しく低下し、つまり、自動二輪車の見栄えが大きく低下する可能性がある。
【０００７】
そこで、前記のように、プロテクタの突出端部が損傷したときには、自動二輪車の見栄えを良好に保つために、その損傷の度毎に、上記プロテクタの突出端部を新しいものに交換することが考えられる。
【０００８】
しかし、例えば、自動二輪車の運転教習所では、自動二輪車の転倒は頻発しがちである。このため、自動二輪車が転倒し、これに伴いプロテクタの突出端部が損傷する毎に、これを新しいものに交換するという作業は極めて煩雑である。つまり、自動二輪車の運転教習所など、転倒の頻度が高い場合には、自動二輪車の見栄えを良好に維持することは容易でなく、また、この維持は高価になる。
【課題を解決するための手段】
【０００９】
本発明は、上記のような事情に注目してなされたもので、本発明の目的は、自動二輪車の運転教習所など、転倒の頻度が高い場合であっても、自動二輪車の見栄えを良好に維持することが容易にできるようにし、かつ、この維持が安価にできるようにすることである。
【００１０】
請求項１の発明は、車体２が、この車体２の前部の外殻を構成する樹脂製のフロントカウル１７を備えた自動二輪車において、
上記フロントカウル１７の外側面の上、下部に取り付けられ、この外側面からそれぞれ外側方に突出する上、下部プロテクタ３３，３４を備えたものである。
【００１１】
請求項２の発明は、請求項１の発明に加えて、上記プロテクタ３３，３４をゴムパッド製としたものである。
【００１２】
請求項３の発明は、請求項１の発明に加えて、上記上、下部プロテクタ３３，３４よりも後方における上記車体２の部分から外側方に向かって突出し、その突出端部が上記車体２の部分の外側面よりも外側方に位置する他のプロテクタ３８，３９を備え、縦方向における上記上部プロテクタ３３の上端から下部プロテクタ３４の下端にいたる範囲４１内に、上記他のプロテクタ３８，３９の少なくとも一部分を位置させたものである。
【００１３】
請求項４の発明は、請求項３の発明に加えて、上記車体２が、この車体２の後部の外側面を形成する樹脂製のサイドカバー１８を備えた自動二輪車において、
縦方向で、上記サイドカバー１８の少なくとも中途部を挟む車体２の各部分にそれぞれ上記他のプロテクタ３８，３９を取り付けたものである。
【００１４】
なお、この項において、上記各用語に付記した符号は、本発明の技術的範囲を後述の「実施例」の項や図面の内容に限定解釈するものではない。
【発明の効果】
【００１５】
本発明による効果は、次の如くである。
【００１６】
請求項１の発明は、車体が、この車体の前部の外殻を構成する樹脂製のフロントカウルを備えた自動二輪車において、
上記フロントカウルの外側面の上、下部に取り付けられ、この外側面からそれぞれ外側方に突出する上、下部プロテクタを備えている。
【００１７】
このため、自動二輪車が転倒したとすると、この転倒の当初には、まず、上記下部プロテクタが、上記フロントカウルの下部側の外側面に先立って地面に衝突する。また、上記転倒が進行すると、上記下部プロテクタが地面に接地することに加え、上記上部プロテクタが上記フロントカウルの上部側の外側面に先立って地面に衝突する。よって、上記フロントカウルの外側面が上記地面に衝突して損傷する、ということは上記上、下部プロテクタによって防止される。
【００１８】
上記の場合、上、下部プロテクタは、上記フロントカウルとは別体のものであって、これらフロントカウルと上、下部プロテクタとの間に一体感が生じることを予定したものではなく、これらに基づくある種の外観上の見栄えを備えるようにしたものである。このため、転倒の頻度が高くて上記上、下部プロテクタが地面に繰り返し衝突して損傷を重ねたとしても、上記上、下部プロテクタをその都度新しいものに交換することなく、上記フロントカウルの上記見栄えを良好に維持できる。つまり、自動二輪車の運転教習所など、転倒の頻度が高い場合であっても、自動二輪車の見栄えを良好に維持することが容易にでき、かつ、この維持が安価にできる。
【００１９】
請求項２の発明は、上記プロテクタをゴムパッド製としている。
【００２０】
このため、自動二輪車が転倒して、上記上、下部プロテクタが地面に衝突するとき、これら各プロテクタは、衝突時の衝撃力を受けて弾性変形する。
【００２１】
よって、第１に、上記衝撃力は効果的に緩和される。このため、上記フロントカウルが大きく変形したり破損したりするということが防止され、このフロントカウルの見栄えが良好に維持される。また、第２に、上記したように上、下部プロテクタは衝撃力を受けて弾性変形するため、その損傷は小さく抑制される。このため、上記上、下部プロテクタを新しいものに交換するということは、より不要となる。上記の結果、上記請求項１の効果が助長される。
【００２２】
請求項３の発明は、上記上、下部プロテクタよりも後方における上記車体の部分から外側方に向かって突出し、その突出端部が上記車体の部分の外側面よりも外側方に位置する他のプロテクタを備え、縦方向における上記上部プロテクタの上端から下部プロテクタの下端にいたる範囲内に、上記他のプロテクタの少なくとも一部分を位置させている。
【００２３】
このため、上記自動二輪車が大きく転倒したときには、上記した上、下部プロテクタの作用に加えて、上記他のプロテクタも上記車体の部分の外側面に先立って地面に衝突する。そして、上記範囲に上記他のプロテクタが位置させられているため、これら各プロテクタにより、大きく転倒したときのフロントカウルの外側面は上記地面上に安定して支持されがちとなる。このため、フロントカウルの外側面が地面に衝突して損傷する、ということは、より広い範囲にわたって防止される。
【００２４】
請求項４の発明は、上記車体が、この車体の後部の外側面を形成する樹脂製のサイドカバーを備えた自動二輪車において、
縦方向で、上記サイドカバーの少なくとも中途部を挟む車体の各部分にそれぞれ上記他のプロテクタを取り付けている。
【００２５】
このため、自動二輪車の転動時には、上記各他のプロテクタが上記サイドカバーの外側面に先立って地面に衝突する。よって、上記サイドカバーの外側面が上記地面に衝突して損傷する、ということは上記各他のプロテクタによって防止される。
【００２６】
上記の場合、他のプロテクタは、上記サイドカバーとは別体のものであって、これらサイドカバーとこれら両他のプロテクタとの間に一体感が生じることを予定したものではなく、これらに基づくある種の外観上の見栄えを備えるようにしたものである。このため、転倒の頻度が高くて上記他のプロテクタが地面に繰り返し衝突して損傷を重ねたとしても、上記他のプロテクタをその都度新しいものに交換することなく、上記サイドカバーの上記見栄えを良好に維持できる。つまり、自動二輪車の運転教習所など、転倒の頻度が高い場合であっても、自動二輪車の見栄えを良好に維持することが容易にでき、かつ、この維持が安価にできる。
【発明を実施するための最良の形態】
【００２７】
本発明の自動二輪車における車体保護装置に関し、自動二輪車の運転教習所など、転倒の頻度が高い場合であっても、自動二輪車の見栄えを良好に維持することが容易にできるようにし、かつ、この維持が安価にできるようにする、という目的を実現するため、本発明を実施するための最良の形態は、次の如くである。
【００２８】
即ち、自動二輪車の車体は、この車体の前部の外殻を構成する樹脂製のフロントカウルを備えている。上記フロントカウルの外側面の上、下部に取り付けられ、この外側面からそれぞれ外側方に突出する上、下部プロテクタが設けられている。
【実施例】
【００２９】
本発明をより詳細に説明するために、その実施例を添付の図に従って説明する。
【００３０】
図１−４において、符号１はスクータ型の自動二輪車で、矢印Ｆｒは、この自動二輪車１の進行方向の前方を示している。
【００３１】
上記自動二輪車１の車体２は、この車体２の骨格を構成する車体フレーム３と、この車体フレーム３の前端部に操向可能に支持されるフロントフォーク４と、このフロントフォーク４の下端部に支持される前車輪５と、上記フロントフォーク４の上端部に支持されるハンドル６と、上記車体フレーム３の後部に上下に揺動可能に枢支されるリヤアーム７と、このリヤアーム７の揺動端部に支持される後車輪８と、上記車体フレーム３とリヤアーム７との間に架設される緩衝器９とを備えている。
【００３２】
また、上記車体２は、自動二輪車１の長手方向における車体フレーム３の中途部の上部に支持されるシート１２と、このシート１２の後方に連設されて上記車体フレーム３の後上部に支持されるタンデムシート１３と、上記シート１２に着座したライダーの足を載置可能とさせるフートレスト１４と、上記タンデムシート１３に着座したタンデムライダーの足を載置可能とさせる他のフートレスト１５とを備えている。
【００３３】
上記車体２は、この車体２の前部の外殻を構成して上記車体フレーム３に支持される樹脂製のフロントカウル１７と、このフロントカウル１７の後方における車体２の各外側面を形成して上記車体フレーム３に支持される樹脂製のサイドカバー１８とを備えている。
【００３４】
上記フロントカウル１７は、上記フロントフォーク４とハンドル６とをその前方から覆う前面板２１と、自動二輪車１の幅方向における上記前面板２１の各端縁部からそれぞれ後方に一体的に延出して、上記車体フレーム３の前部とフロントフォーク４とを外側方から覆う側面板２２とを備えている。また、上記サイドカバー１８は、上記車体２の側面視（図１）で、上記シート１２とタンデムシート１３のそれぞれ下方における車体フレーム３の後部をその外側方から覆う後部カバー２４と、上記フートレスト１４の上方における車体フレーム３の中途部をその外側方から覆う前部カバー２５とを備えている。
【００３５】
上記前車輪５と後車輪８とは、車体２の幅方向の中央を通る車体中心２７上に位置し、この車体中心２７を基準として、上記車体２はほぼ左右対称形とされている。上記前車輪５と後車輪８とが地面２８上に接地させられて、この地面２８上に車体２が支持される。
【００３６】
上記車体フレーム３には、走行用駆動源である不図示の内燃機関が支持され、この内燃機関からの排気を車体２の後方に向けて排出させるマフラー２９が後車輪８の右側の外側方に配置されている。上記内燃機関を駆動させ、これに上記後車輪８を連動させれば、地面２８上を自動二輪車１が走行可能とされる。
【００３７】
上記自動二輪車１が転倒したとき、上記車体２の外側面が地面２８に衝突して損傷する、ということを防止するための車体保護装置３２が設けられている。
【００３８】
上記車体保護装置３２は、上記フロントカウル１７の各側面板２２の外側面の上、下部にそれぞれ取り付けられ、この外側面からそれぞれ外側方に突出する上、下部プロテクタ３３，３４を備えている。これら上、下部プロテクタ３３，３４は自動二輪車１の長手方向で同じところに配置されている。上記各プロテクタ３３，３４は、それぞれ体積の大きいゴムパッド製とされている。
【００３９】
上記上部プロテクタ３３は、全体として三角錐形状をなしている。この上部プロテクタ３３は、その底面が上記側面板２２の外側面の上部に接着されてこの側面板２２に取り付けられている。上記上部プロテクタ３３の頂部は上記側面板２２から外側方に向かって突出している。つまり、上記上部プロテクタ３３は、その突出方向に向かうに従い弾性係数が漸次小さくなる（軟らかくなる）よう形成されている。また、上記上部プロテクタ３３の外側方への突出寸法は、上記下部プロテクタ３４のそれよりも大きくされている。なお、上記上部プロテクタ３３は、円錐や四角以上の角錐形状であってもよく、また、台形状の錐形状であってもよい。
【００４０】
上記下部プロテクタ３４は全体として縦長の平板形状をなしている。この下部プロテクタ３４は、その一方の面が上記側面板２２の外側面の下部に接着されてこの側面板２２に取り付けられている。上記下部プロテクタ３４の他方の面である表面には、縞形状となるよう多数の溝３５が形成されている。これにより、上記側面板２２に対する下部プロテクタ３４の取り付け強度が十分に確保される一方、この下部プロテクタ３４の表面の弾性係数が全体的に小さく（軟らかく）されている。
【００４１】
また、上記車体保護装置３２は、上記上、下部プロテクタ３３，３４よりも後方における上記車体２の部分から外側方に向かって突出し、その突出端部が上記車体２の部分の外側面よりも外側方に位置する上下一対の他のプロテクタ３８，３９を備えている。縦方向における上記上部プロテクタ３３の上端から下部プロテクタ３４の下端に至る範囲４１内に、上記各他のプロテクタ３８，３９のそれぞれ少なくとも一部分が位置させられている。より具体的には、上記両他のプロテクタ３８，３９のうち、上側の他のプロテクタ３８は全体的に上記範囲４１内に位置させられ、下側の他のプロテクタ３９は、その上部のみが上記範囲４１内に位置させられている。
【００４２】
上記両他のプロテクタ３８，３９は、自動二輪車１の長手方向で、上記サイドカバー１８の後部カバー２４と同じところに位置し、かつ、縦方向で、上記サイドカバー１８の少なくとも中途部を挟むよう配置されている。より具体的には、自動二輪車１の側面視で、上側の他のプロテクタ３８は上記シート１２の後方、かつ、上記後部カバー２４の後部の上方に位置している。また、下側の他のプロテクタ３９は上記後部カバー２４の前部の下方、かつ、前部カバー２５の後部と同じところに位置している。
【００４３】
図１−６において、上記上側の他のプロテクタ３８は、自動二輪車１の平面視（図２）で、車体２の車体中心２７側に向かって開くコの字形状となるよう屈曲させられた円形のパイプ部材４４と、このパイプ部材４４の各端部に取り付けられた支持体４５とを備えている。これら各支持体４５は上記車体フレーム３の後部に締結具４６により締結され、これにより、上記他のプロテクタ３８が上記車体２の部分に取り付けられている。
【００４４】
また、上記締結具４６により、上記サイドカバー１８の後部カバー２４の一部と、上記タンデムシート１３に着座したタンデムライダー用のハンドル４８とが上記車体フレーム３の後部に締結されて支持されている。
【００４５】
図１−４，７，８において、上記下側の他のプロテクタ３９は、自動二輪車１の正面視（図３，８）で、縦方向に延び、かつ、外側方に向かって凸形状となるよう円弧形状に屈曲する円形のパイプ部材５０と、このパイプ部材５０の上端部に取り付けられる支持片５１と、この支持片５１から上記車体中心２７側に向かって突出する円形パイプ製の複数（三本）のカラー５２とを備えている。上記各カラー５２は、上記サイドカバー１８の前部カバー２５に形成された孔５３を貫通して、上記支持片５１と共に車体フレーム３の後部に締結具５４により締結されている。これにより、上記他のプロテクタ３９が上記車体２の部分に片持ち状に取り付けられ、上記パイプ部材５０の下端部は自由端とされている。
【００４６】
また、上記締結具５４により、上記フートレスト１４のフレーム部材が上記車体フレーム３の後部に締結されて支持されている。また、上記パイプ部材５０に前記フートレスト１５が締結具５５により締結されて支持されている。
【００４７】
上記構成によれば、フロントカウル１７の外側面の上、下部に取り付けられ、この外側面からそれぞれ外側方に突出する上、下部プロテクタ３３，３４を備えている。
【００４８】
このため、自動二輪車１が転倒したとすると、この転倒の当初には、まず、上記下部プロテクタ３４が、上記フロントカウル１７の下部側の外側面に先立って地面２８に衝突する（図３中一点鎖線）。また、上記転倒が進行すると、上記下部プロテクタ３４が地面２８に接地することに加え、上記上部プロテクタ３３が上記フロントカウル１７の上部側の外側面に先立って地面２８に衝突する（図３中二点鎖線）。よって、上記フロントカウル１７の外側面が上記地面２８に衝突して損傷する、ということは上記上、下部プロテクタ３３，３４によって防止される。
【００４９】
上記の場合、上、下部プロテクタ３３，３４は、上記フロントカウル１７とは別体のものであって、これらフロントカウル１７と上、下部プロテクタ３３，３４との間に一体感が生じることを予定したものではなく、これらに基づくある種の外観上の見栄えを備えるようにしたものである。このため、転倒の頻度が高くて上記上、下部プロテクタ３３，３４が地面２８に繰り返し衝突して損傷を重ねたとしても、上記上、下部プロテクタ３３，３４をその都度新しいものに交換することなく、上記フロントカウル１７の上記見栄えを良好に維持できる。つまり、自動二輪車１の運転教習所など、転倒の頻度が高い場合であっても、自動二輪車１の見栄えを良好に維持することが容易にでき、かつ、この維持が安価にできる。
【００５０】
また、前記したように、プロテクタ３３，３４をゴムパッド製としている。
【００５１】
このため、自動二輪車１が転倒して、上記上、下部プロテクタ３３，３４が地面２８に衝突するとき、これら各プロテクタ３３，３４は、衝突時の衝撃力を受けて弾性変形する。
【００５２】
よって、第１に、上記衝撃力は効果的に緩和される。このため、上記フロントカウル１７が大きく変形したり破損したりするということが防止され、このフロントカウル１７の見栄えが良好に維持される。また、第２に、上記したように上、下部プロテクタ３３，３４は衝撃力を受けて弾性変形するため、その損傷は小さく抑制される。このため、上記上、下部プロテクタ３３，３４を新しいものに交換するということは、より不要となる。
【００５３】
また、前記したように、上部プロテクタ３３を、その突出方向に向かうに従い弾性係数が小さくなるよう形成している。
【００５４】
ここで、上記自動二輪車１が転倒して、上記上、下部プロテクタ３３，３４が地面２８に衝突するとき、上記上部プロテクタ３３は下部プロテクタ３４に比べて、より大きい衝撃力を地面２８から与えられようとする。しかし、上記上部プロテクタ３３は、上記のように形成したため、上記衝撃力を受けると、円滑にかつ大きく弾性変形する。
【００５５】
よって、上記上部プロテクタ３３により、上記衝撃力がより効果的に緩和される。この結果、上記フロントカウル１７の上部が大きく変形したり、破損したりするということは、より確実に防止され、このフロントカウル１７の見栄えが良好に維持される。つまり、自動二輪車１の見栄えが良好に維持される。
【００５６】
また、前記したように、上、下部プロテクタ３３，３４よりも後方における上記車体２の部分から外側方に向かって突出し、その突出端部が上記車体２の部分の外側面よりも外側方に位置する他のプロテクタ３８，３９を備え、縦方向における上記上部プロテクタ３３の上端から下部プロテクタ３４の下端にいたる範囲４１内に、上記他のプロテクタ３８，３９の少なくとも一部分を位置させている。
【００５７】
このため、上記自動二輪車１が大きく転倒したときには、上記した上、下部プロテクタ３３，３４の作用に加えて、上記他のプロテクタ３８，３９も上記車体２の部分の外側面に先立って地面２８に衝突する。そして、上記範囲４１に上記他のプロテクタ３８，３９が位置させられているため、これら各プロテクタ３３，３４，３８，３９により、大きく転倒したときのフロントカウル１７の外側面は上記地面２８上に安定して支持されがちとなる。このため、フロントカウル１７の外側面が地面２８に衝突して損傷する、ということは、より広い範囲にわたって防止される。
【００５８】
また、前記したように、縦方向で、上記サイドカバー１８の少なくとも中途部を挟む車体２の各部分にそれぞれ上記他のプロテクタ３８，３９を取り付けている。
【００５９】
このため、自動二輪車１の転動時には、上記各他のプロテクタ３８，３９が上記サイドカバー１８の外側面に先立って地面２８に衝突する。よって、上記サイドカバー１８の外側面が上記地面２８に衝突して損傷する、ということは上記各他のプロテクタ３８，３９によって防止される。
【００６０】
上記の場合、他のプロテクタ３８，３９は、上記サイドカバー１８とは別体のものであって、これらサイドカバー１８とこれら両他のプロテクタ３８，３９との間に一体感が生じることを予定したものではなく、これらに基づくある種の外観上の見栄えを備えるようにしたものである。このため、転倒の頻度が高くて上記他のプロテクタ３８，３９が地面２８に繰り返し衝突して損傷を重ねたとしても、上記他のプロテクタ３８，３９をその都度新しいものに交換することなく、上記サイドカバー１８の上記見栄えを良好に維持できる。つまり、自動二輪車１の運転教習所など、転倒の頻度が高い場合であっても、自動二輪車１の見栄えを良好に維持することが容易にでき、かつ、この維持が安価にできる。
【００６１】
なお、以上は図示の例によるが、上記他のプロテクタ３８，３９は単一であってもよい。また、これら他のプロテクタ３８，３９をゴムパッド製として、上記サイドカバー１８の外側面から外側方に突出させてもよい。
【図面の簡単な説明】
【００６２】
【図１】自動二輪車の全体側面図である。
【図２】自動二輪車の平面図である。
【図３】自動二輪車の正面図である。
【図４】自動二輪車の背面図である。
【図５】図１の部分拡大図である。
【図６】図２の６−６線矢視断面図である。
【図７】図１の部分拡大図である。
【図８】図３の部分拡大部分断面図である。
【符号の説明】
【００６３】
１    自動二輪車
２    車体
３    車体フレーム
５    前車輪
８    後車輪
１７  フロントカウル
１８  サイドカバー
２８  地面
３２  車体保護装置
３３  上部プロテクタ
３４  下部プロテクタ
３８  他のプロテクタ
３９  他のプロテクタ
４１  範囲
【図１】
2006123844.tif 000003
【図２】
2006123844.tif 000004
【図３】
2006123844.tif 000005
【図４】
2006123844.tif 000006
【図５】
2006123844.tif 000007
【図６】
2006123844.tif 000008
【図７】
2006123844.tif 000009
【図８】
2006123844.tif 000010